(57)【要約】【課題】  ポーズしたジョブのイメージデータを保持したまま後続ジョブを処理する為には大容量のメモリを搭載しなければならずコストアップとなってしまう【解決手段】  データ処理装置及びスキャナ等他のデバイス装置から供給される印刷データに基づいて画像を記録し、特定ジョブの印刷を停止再開する処理が可能な印刷装置において、停止指定時に該ジョブの入力データを退避する退避手段と、再開ジョブを退避しておいた入力データから処理再開し印刷済みのページの印刷処理を省略する省略手段と、現在処理中のジョブの最後に出力されるよう制御する第１の制御手段とを持つことを特徴とする。【選択図】  図９
2006130821.tif 000002
【特許請求の範囲】
【請求項１】
データ処理装置及びスキャナ等他のデバイス装置から供給される印刷データに基づいて画像を記録し、特定ジョブの印刷を停止再開する処理が可能な印刷装置であって、停止指定時に該ジョブの入力データを退避する退避手段と、再開ジョブを退避しておいた入力データから処理再開し印刷済みのページの印刷処理を省略する省略手段と、現在処理中のジョブの最後に出力されるよう制御する第１の制御手段とを持つことを特徴とする印刷装置。
【請求項２】
データ処理装置及びスキャナ等他のデバイス装置から供給される印刷データに基づいて画像を記録し、特定ジョブのみ印刷を停止再開する処理が可能な印刷装置であって、停止指定時に該ジョブの入力データを退避する退避手段と、再開ジョブを退避しておいた入力データから処理再開し印刷済みのページの印刷処理を省略する省略手段と、現在処理中のジョブの最後に出力されるよう制御する第１の制御手段と、退避データがイメージデータの場合エンジンへの画像転送順番を制御する第２の制御手段とを持ち、ハンドリングするデータの種類に応じて前記第１及び第２の制御手段を切り替えながら停止再開機能を実現することを特徴とする印刷装置。
【請求項３】
停止処理を実行するジョブに、既に印刷済みのページがあり、複数の排紙口を有する場合、印刷途中の停止ジョブと後続ジョブが混在しないよう後続ジョブの排紙口を切り替える排紙制御手段を持つことを特徴とする請求項１乃至２記載の印刷装置。
【請求項４】
停止処理を実行するジョブに、既に印刷済みのページがあり、印刷途中の停止ジョブと同じ排紙口に後続ジョブが排紙される場合に、ユーザに混載してしまうことを報知する報知手段を持つことを特徴とする請求項１乃至２記載の印刷装置。
【発明の詳細な説明】
【技術分野】
【０００１】
本発明は、印刷装置及び画像処理方法及びプログラム記憶媒体に係り、特に印刷ジョブへの各種制御機能を有する印刷装置及び画像処理方法及びプログラム記憶媒体に関するものである。
【背景技術】
【０００２】
複数処理を行っている印刷ジョブの中の、特定のジョブを一時停止する機能として、ポーズ処理という機能が存在する。これまでのポーズ処理は、プリンタや複合機等の印刷装置が受信したＰＤＬデータの解析処理順番を入れ替えることで特定のジョブを停止させるか（例えば特許文献１）、印刷装置が受信したＰＤＬデータを解釈し、中間データの生成、イメージデータの生成まで行った後、イメージデータをエンジンに送信する順番を入れ替えることで、特定のジョブを停止させるという方法であった。
【特許文献１】特開平１１−３５３１３２号公報
【発明の開示】
【発明が解決しようとする課題】
【０００３】
しかしながら、従来までのポーズ処理には、以下のような問題があった。
【０００４】
ＰＤＬデータの解析処理順番を入れ替えることでポーズ処理を実現する場合、印刷装置がデータ受信してからＰＤＬ解釈を開始するまでの短い期間しか処理順番を変えることができず、ほとんどポーズ処理を行えるタイミングがなく、とても使いづらいものとなっていた。
【０００５】
また、イメージデータをエンジンに送信する順番を入れ替えることでポーズ処理を実現する場合、ＰＤＬデータや中間データより容量が大きくなるイメージデータを機器内に保持しておく必要があり、メモリ消費量が大きくなる。そのため、ポーズしたジョブのイメージデータを保持したまま後続ジョブを処理する為には大容量のメモリを搭載しなければならずコストアップとなってしまう。また、大容量のメモリを搭載できない場合は、ポーズしたジョブの後ろのジョブがすべて止まってしまうという問題が発生していた。
【０００６】
本発明は、上記に鑑みてなされたものであり、ジョブのポーズ処理において、ポーズ指定を受け付けるタイミングを拡大し使いやすくすることと、ポーズジョブの追い抜き処理を少メモリで可能にすることを目的とする。
【課題を解決するための手段】
【０００７】
本願発明は上記目的を達成するために、データ処理装置及びスキャナ等他のデバイス装置から供給される印刷データに基づいて画像を記録し、特定ジョブの印刷を停止再開する処理が可能な印刷装置において、停止指定時に該ジョブの入力データを退避する退避手段と、再開ジョブを退避しておいた入力データから処理再開し印刷済みのページの印刷処理を省略する省略手段と、現在処理中のジョブの最後に出力されるよう制御する第１の制御手段とを持つことを特徴とする仕組みを提供する。
【発明の効果】
【０００８】
以上に説明したように、本発明によれば、ポーズジョブの退避をできるだけ小さいサイズになるようＰＤＬデータで行うことにより、ポーズ指定を受け付けるタイミングを拡大し使いやすい機能にすることと、少メモリでも後続ジョブがポーズジョブを追い抜くことの両方が可能となる。
【発明を実施するための最良の形態】
【０００９】
以下、本発明の発明を実施するための最良の形態について図面を用いて説明する。
【００１０】
（第１実施形態）
本発明に係る第１実施形態に係る印刷装置について、図面を参照して説明する。
【００１１】
図１は、本発明の１つの実施形態に係る印刷装置のシステム構成の概略を示す図である。
【００１２】
図において、データ処理装置１０１は、例えば、コンピュータであり、画像情報の供給源、あるいはプリンタの制御装置として機能する。この実施の形態においては、印刷装置１０２として、レーザビームプリンタ（プリンタ）を用いている。本実施形態において適用される印刷装置は、レーザビームプリンタに限られるものではなく、コピー機、ＦＡＸ、あるいはこれらの機能を複数持つ複合機であってもよく、さらにはインクジェットプリンタ等他のプリント方式のプリンタでもよいことは言うまでもない。
【００１３】
ビデオコントローラ（ビデオコントローラ）１０３は、データ処理装置１０１から供給される画像情報（例えば、ＥＳＣコード、ページ記述言語等）に基づいて、ページ毎にラスタデータを生成し、プリンタエンジン１０５に送出する。
【００１４】
プリンタエンジン１０５は、ビデオコントローラ１０３から供給されるラスタデータに基づいて、感光ドラム上に潜像を形成し、その潜像を記録媒体上に転写・定着（電子写真方式）することにより画像を記録する。
【００１５】
パネル部１０４は、ユーザインタフェースとして使用される。ユーザは、パネル部１０４を操作することにより、所望の動作を指示することができる。また、パネル部１０４には、プリンタ１０２の処理内容や、ユーザへの警告内容が表示される。
【００１６】
図２は、タンデム方式のカラープリンタ１０２の構成を説明する断面図である。
【００１７】
図において、２０１は、プリンタ筐体である。２０２は、ユーザが各種指示を与えるためのスイッチ、メッセージやプリンタの設定内容等を表示するためのＬＥＤ表示器やＬＣＤ表示器等が配された操作パネルであり、図１に示すパネル部１０４の一態様である。２０３は、ボード収容部であり、ビデオコントローラ１０３及びプリンタエンジン１０５の電子回路部分を構成するボードを収容する。
【００１８】
２２０は、用紙（記録媒体）Ｓを保持する用紙カセットであり、不図示の仕切り板によって電気的に用紙サイズを検知する機構を有する。２２１は、カセットクラッチであり、用紙カセット２２０上に載置された用紙Ｓの最上位の一枚を取り出して、取り出した用紙Ｓを不図示の駆動手段から伝達される駆動力によって給紙ローラ２２２まで搬送するカムを有する。このカムは、給紙の度に間欠的に回転し、１回転に対応して１枚の用紙Ｓを給紙する。２２３は用紙検知センサで、それぞれ用紙カセット２２０に保持されている用紙Ｓの量を検知する。
【００１９】
給紙ローラ２２２は、用紙Ｓの先端部をレジストシャッタ２２４まで搬送するローラである。２２４は、レジストシャッタであり、用紙Ｓを押圧することにより給紙を停止することができる。
【００２０】
２３０は、手差しトレイであり、２３１は、手差し給紙クラッチである。手差し給紙クラッチ２３１は、用紙Ｓの先端を手差し給紙ローラ２３２まで搬送するために使用され、手差し給紙ローラ２３２は、用紙Ｓの先端をレジストシャッタ２２４まで搬送するために使用される。印刷に供する用紙Ｓは、用紙カセット２２０及び手差しトレイ２３０のいずれかの給紙手段を選択して給紙される。
【００２１】
プリンタエンジン１０５は、ビデオコントローラ１０３と所定の通信プロトコルにしたがって通信を行い、ビデオコントローラ部１０３からの指示にしたがって用紙カセット２２０手差しトレイ２３０の中からいずれかの給紙手段を選択し、印刷の開始指示に応じて該当する給紙手段よりレジストシャッタ２２４まで用紙Ｓを搬送する。なお、プリンタエンジン１０５は、給紙手段、潜像の形成、転写、定着等の電子写真プロセスに関する機構、排紙手段及びそれらの制御手段を含む。
【００２２】
２０４ａ、２０４ｂ、２０４ｃ、２０４ｄは、感光ドラム２０５ａ、２０５ｂ、２０５ｃ、２０５ｄやトナー保持部等を有する印刷部であり、電子写真プロセスにより、用紙Ｓ上にトナー像を形成する。一方、２０６ａ、２０６ｂ、２０６ｃ、２０６ｄは、レーザスキャナ部であり、印刷部にレーザビームによる画像情報を供給する。
【００２３】
印刷部２０４ａ、２０４ｂ、２０４ｃ、２０４ｄには、用紙Ｓを搬送する用紙搬送ベルト２５０が複数の回転ローラ２５１〜２５４によって用紙搬送方向（図の下から上方向）に扁平に張設され、その最上流部においては、バイアスを印加した吸着ローラ２２５によって、用紙を用紙搬送ベルト２５０に静電吸着させる。またこのベルト搬送面に対向して４個の感光ドラム２０５ａ、２０５ｂ、２０５ｃ、２０５ｄが直線状に配設されており、画像形成手段を構成している。印刷部２０４ａ、２０４ｂ、２０４ｃ、２０４ｄのそれぞれには、感光ドラムの周辺近傍を順次取り囲んで、帯電器、現像器が配置されている。
【００２４】
レーザスキャナ部２０６ａ、２０６ｂ、２０６ｃ、２０６ｄにおいて、２０７ａ、２０７ｂ、２０７ｃ、２０７ｄは、レーザユニットであり、ビデオコントローラ１０３から送出される画像信号（／ＶＩＤＥＯ信号）に応じて、内蔵の半導体レーザを駆動し、レーザビームを発射する。レーザユニット２０７ａ、２０７ｂ、２０７ｃ、２０７ｄから発せられたレーザビームは、ポリゴンミラー（回転多面鏡）２０８ａ、２０８ｂ、２０８ｃ、２０８ｄにより走査され、感光ドラム２０５ａ、２０５ｂ、２０５ｃ、２０５ｄ上に潜像を形成する。
【００２５】
２６０は、定着器で、印刷部２０４ａ、２０４ｂ、２０４ｃ、２０４ｄにより用紙Ｓに形成されたトナー画像を記録紙Ｓに熱定着させる。２６１は、搬送ローラで、用紙Ｓを排紙搬送する。２６２は、排紙センサで、用紙Ｓの排紙状態を検知する。２６３は、排紙ローラ兼両面印刷用搬送路切替えローラで、用紙Ｓを排紙方向へ搬送し、用紙Ｓの搬送指示が排紙の場合はそのまま排紙トレイ２６４に排紙し、搬送指示が両面搬送の場合は、用紙Ｓの後端が排紙センサ２６２を通過した直後に回転方向を逆向きに変え、スイッチバックすることにより用紙Ｓを両面印刷用搬送路２７０へ搬送する。２６５は排紙積載量検知センサで、排紙トレイ２６４上に積載された用紙Ｓの積載量を検知する。
【００２６】
２７０は、両面印刷用搬送路であり、排紙ローラ兼両面印刷用搬送路切替えローラ２６３により両面印刷用に搬送された用紙Ｓは、両面搬送ローラ２７１〜２７４によって再びレジストシャッタ２２４まで搬送されて印刷部２０４ａ、２０４ｂ、２０４ｃ、２０４ｄへの搬送指示を待つ。
【００２７】
なお、プリンタ１０２には、さらにオプションカセットや封筒フィーダ等のオプションユニットを装備することができる。
【００２８】
図３は、ビデオコントローラ１０３とプリンタエンジン１０５とを接続するビデオインタフェース及びプリンタ１０５の構成例を示す図である。
【００２９】
図において、ビデオコントローラ１０３は、複数のデータ処理装置１０１との通信（画像情報の受信を含む）、受信した画像情報に基づくラスタデータの生成（展開）、プリンタエンジン１０５の制御を司る。
【００３０】
エンジン制御部１５０は、ビデオコントローラ１０３から供給される制御信号に基づいて、プリンタエンジン１０５内のユニット１５１〜１５８を制御する。
【００３１】
ユニット１５１〜１５８の概要を説明すると、１５１は、用紙カセット２２０及びその他オプションカセット（不図示）内に載置された用紙のサイズを検出してエンジン制御部１５０に通知する用紙サイズ検出部で、１５２は、用紙カセット２２０及び手差し用トレイ２３１、オプションカセット（不図示）、封筒フィーダ（不図示）のそれぞれの給紙口の有無を検出してエンジン制御部１５０に通知する給紙口検出部で、１５３は、オプションカセット、封筒フィーダ等のオプションの接続状況を確認するためのオプション調査部で、１５４は、用紙の搬送を制御する搬送制御部で、１５５は、ポリゴンミラー２０８ａ、２０８ｂ、２０８ｃ、２０８ｄの駆動モータ、レーザユニット２０７ａ、２０７ｂ、２０７ｃ、２０７ｄ等の光学系を制御する光学系制御部で、１５６は、定着器２６０  の温度制御の他、定着器２６０における異常検出等をも行う定着温度制御部で、１５７は、オプションカセットや封筒フィーダ等のオプションを制御するオプション制御部で、１５８は、レジスト、排紙、両面、反転など搬送路内の用紙の有無、外気温、印刷ページ数、トナー残量等の環境の変化（状況変化）を検出するためのセンサ部である。
【００３２】
次に、ビデオコントローラ１０３とエンジン制御部１５０とを接続するビデオインタフェースを構成する信号の概要を説明する。
【００３３】
１７０は、ビデオコントローラ１０３がエンジン制御部１５０と通信可能な状態にあることを示す／ＣＰＲＤＹ信号、１７１は、エンジン制御部１５０がビデオコントローラ部１０３と通信可能な状態にあることを示す／ＰＰＲＤＹ信号、１７２は、エンジン制御部１５０がプリント可能な状態にあることを示す／ＲＤＹ信号、１７３は、ビデオコントローラ１０３がエンジン制御部１５０に印刷要求を発行するための／ＰＲＮＴ信号、１７４は、エンジン制御部１５０がビデオコントローラ１０３に対して出力する垂直同期信号としての／ＴＯＰ信号、１７６は、エンジン制御部１５０がビデオコントローラ部１０３に出力する水平同期信号としての／ＢＤ信号、１７８は、シリアル通信のための同期クロック信号としての／ＳＣＬＫ信号、１７９は、ビデオコントローラ１０３がエンジン制御部１５０に対してコマンドを送信するためのコマンド信号としての／ＣＭＤ信号、１８０は、コマンドを送信するためのストローブ信号としての／ＣＢＳＹ信号、１８１は、ビデオコントローラ１０３から送信されたコマンドに対して応答（プリンタエンジン１０５内部のステータスを含む）を返すための／ＳＴＳ信号、１８２は、ステータス等の応答を返すためのストローブ信号としての／ＳＢＳＹ信号、１８３は、ラスタデータとしての／ＶＩＤＥＯ信号である。
【００３４】
１７７は、プリンタエンジン１０５のステータスのうち、／ＲＤＹ信号に直接関与しない状態、すなわち印刷の可否に直接関与しない状態変化が発生した場合（例えば、気温、印刷ページ数、トナー残量等が基準値を超えた場合）に”ＴＲＵＥ”となる／ＣＣＲＴ信号である。
【００３５】
図４は、ビデオコントローラ１０３の構成例を示すブロック図である。
【００３６】
図において、３０１は、パネル部１０４とのデータ通信を行うパネルインタフェース部である。ＣＰＵ３０９は、パネルインタフェース部３０１を介して、ユーザがパネル部１０４において設定・指示した内容を確認することができる。３０２は、ネットワークを介してホストコンピュータ等のデータ処理装置１０１と双方向に通信接続するためのホストインタフェース部である。３０６は、プリンタエンジン１０５と通信接続するためのエンジンインタフェース部である。ＣＰＵ３０９は、エンジンインタフェース部３０６を介して、信号１７０，１７３，１７５，１７８，１７９，１８０を制御し、信号１７１，１７２，１７４，１７６，１７７，１８１，１８２の状態、すなわち、プリンタエンジン１０５の状態を認識することができる。
【００３７】
３０３は、データ処理装置１０１より供給された画像情報に基づいて、プリンタエンジン１０５に供給するラスタデータを生成（ラスタライズ）する画像データ発生部である。３０５は、生成したラスタデータを一時的に保持するための画像メモリである。３０９は、ＲＯＭ３０４に保持された制御プログラムコードに基づいて、ＣＰＵバス３２０に接続されたデバイスを制御するＣＰＵである。３０７は、ＣＰＵ３０９が使用する一時記憶用メモリとしてのＲＡＭであり、図示しない増設ポートに接続されるオプションＲＡＭによりメモリ容量を拡張できるように構成されている。ＲＡＭ３０７は、描画オブジェクトを格納する描画オブジェクト格納部４０２、ＲＯＭ３０４に保持された制御プログラムによって一時的に使用されるワークメモリ等に用いられる。３１０は、例えば、濃度補正テーブル等の制御情報を保持するための不揮発性メモリで構成される。３０８は、ＤＭＡ制御部であり、ＣＰＵ３０９からの指示により画像メモリ３０５内のラスタデータをエンジンインタフェース部３０６に転送する。
【００３８】
３２０は、アドレス、データ、コントロールバスを含むＣＰＵバスである。パネルインタフェース部３０１、ホストインタフェース部３０２、画像データ発生部３０３、ＲＯＭ３０４、画像メモリ３０５、エンジンインタフェース部３０６、ＲＡＭ３０７、ＤＭＡ制御部３０８、ＣＰＵ３０９及びＥＥＰＲＯＭ３１０は、それぞれＣＰＵバス３２０に接続されたすべてのデバイスにアクセス可能である。
【００３９】
次に図５を用いて通常の印刷処理の流れについて説明を行う。
【００４０】
図５は、データを受信してから印刷が完了するまでの大まかな処理の流れを説明するフローチャートである。
【００４１】
先ず、Ｓ５０１において、受信したＰＤＬデータを解釈し中間データを生成する。次にＳ５０２において、中間データから、エンジンに画像転送可能なイメージデータを生成し、Ｓ５０３において、エンジンとやり取りを行いながら、Ｓ５０２で生成したイメージデータをエンジンに転送し印字を行う。特定の印刷ページに着目すれば、上記説明のようにＳ５０１⇒Ｓ５０２⇒Ｓ５０３と処理は順に行われるが、実際は複数ページを処理することが一般的で、その場合Ｓ５０１、Ｓ５０２、Ｓ５０３の処理は平行して行われる。
【００４２】
次に、ポーズ（一時停止）／レジューム（再開）指示された場合のフローについて図６を用いて説明する。
【００４３】
図６はポーズ及びレジューム処理を説明するフローチャートである。
【００４４】
処理中のジョブに対してポーズ指示された場合、そのジョブに対して処理を中断する指示が実行され、図６の処理が開始する。先ず始めにＳ６０１において、そのジョブが何ページまで印刷完了したかを記憶し、受信したＰＤＬデータとその時の各種設定情報を退避して、そのジョブの途中処理データは全て破棄し（Ｓ６０２）、待機する（Ｓ６０３）。Ｓ６０１において、印刷完了ページを記憶するが、１枚も印字していない状態でポーズされた場合は、レジューム指示により先頭ページから印字を再開する。
【００４５】
この処理により、ポーズジョブは印刷キューから外れる。この状態で通常の印刷ジョブを受信した場合は、ポーズジョブが受信バッファに保存された状態のまま、図５で説明した処理が行われることになる。
【００４６】
次に、レジューム指示（ポーズの解除指示）が行われたら（Ｓ６０４）、ＰＤＬデータとして受信バッファに保存してあるジョブをＰＤＬ解釈から再開し、復帰処理を行う（Ｓ６０５）。復帰処理は、退避させておいたＰＤＬデータ、印刷完了ページ情報、その他属性情報を元に行われ、最初にジョブを受信した時と同じようにＰＤＬ処理から処理を再開する。ただし、既に印刷終了してしまっているページは印刷する必要がないので、そのジョブの属性は、内部的に完了ページの次のページからの部分印刷指定が行われたものとして復帰処理を開始する。
【００４７】
また、Ｓ６０６において、ポーズジョブに対してユーザがキャンセル指示を行った場合は、Ｓ６０７においてＰＤＬデータを含め、そのジョブの途中処理のデータは全て破棄し、そのジョブの処理を全て終了する。
【００４８】
次に、図６のＳ６０５の処理の詳細について、図７を用いて説明する。
【００４９】
実際は各ステップの処理は連続して行われるため、ＰＤＬ解釈等の各処理は必ずしもページ単位に処理が移行するとは限らないが、図７においては、説明を簡単にするため、ページ単位の処理として説明を行うものとする。
【００５０】
図７はＰＤＬデータを読み飛ばすことによりレジューム処理を説明するフローチャートである。
【００５１】
再開処理が始まると、ＰＤＬデータの解釈を開始するが、該当ページが既に印刷済みのページかどうか判断を行い（Ｓ７０１）、既に印刷済みのページの場合はＰＤＬデータの読み飛ばしを行う（Ｓ７０２）。また、Ｓ７０１においてまだ印刷済みでないページの場合は、ＰＤＬ解釈を行い中間データ生成していく（Ｓ５０１）。次に、中間データからイメージデータを生成し（Ｓ５０２）、エンジンにイメージデータを送信し印字処理を続ける（Ｓ５０３）。
【００５２】
（第２実施形態）
第１実施形態においては、ＰＤＬデータの読み飛ばしによってレジューム処理を行う場合について説明したが、ＰＤＬデータの解釈は行い、印刷済みのページの中間データを破棄するようにしてもよい。
【００５３】
第２実施形態について、第１実施形態と異なる部分のみを説明する。
【００５４】
図８は、中間データを破棄することで、印刷済みページの処理を省く場合のフローチャートである。図８においては説明を簡単にするため、ページ単位の処理として説明を行うものとする。
【００５５】
再開処理が始まると、ＰＤＬ解釈を行い中間データ生成していく（Ｓ５０１）。生成した中間データが既に印刷済みのページの中間データかどうか判断を行い（Ｓ８０１）、既に印刷済みのページの場合は中間データの破棄を行う（Ｓ８０２）。次に、中間データからイメージデータを生成し（Ｓ５０２）、エンジンにイメージデータを送信し印字処理を続ける（Ｓ５０３）。
【００５６】
（第３実施形態）
第１実施形態においては、ＰＤＬデータの読み飛ばし、第２実施形態においては中間データの破棄によって、レジューム処理を実現する例について述べたが、イメージデータを破棄することでレジューム処理を実現してもよい。
【００５７】
第３実施形態について、第１実施形態と異なる部分のみを説明する。
【００５８】
図９は、イメージデータを破棄することで、印刷済みページの処理を省く場合のフローチャートである。図９においては説明を簡単にするため、ページ単位の処理として説明を行うものとする。
【００５９】
再開処理が始まると、ＰＤＬ解釈を行い中間データ生成していく（Ｓ５０１）。さらに、中間データからイメージデータを生成し（Ｓ５０２）、生成したイメージデータが既に印刷済みのページのイメージデータかどうか判断を行い（Ｓ９０１）、既に印刷済みのページの場合はイメージデータの破棄を行う（９８０２）。次に、エンジンにイメージデータを送信し印字処理を続ける（Ｓ５０３）。
【図面の簡単な説明】
【００６０】
【図１】第１実施形態において、プリンタの一構成例を示す断面図である。
【図２】第１実施形態において、印刷装置のシステム構成の概略を示す図である。
【図３】第１実施形態において、ビデオコントローラとプリンタエンジンとを接続するビデオインタフェース及びプリンタエンジンの構成例を示すブロック図である。
【図４】第１実施形態において、ビデオコントローラの構成例を示すブロック図である。
【図５】第１実施形態において、通常の印刷処理を説明するフローチャートである。
【図６】第１実施形態において、ポーズ指定を受けてからレジュームされるまでの処理を説明するフローチャートである。
【図７】第１実施形態において、ＰＤＬデータの読み飛ばしによりレジューム処理を実現する方法を説明するフローチャートである。
【図８】第２実施形態において、中間データの破棄によりレジューム処理を実現する方法を説明するフローチャートである。
【図９】第３実施形態において、イメージデータの破棄によりレジューム処理を実現する方法を説明するフローチャートである。
【符号の説明】
【００６１】
１０１  データ処理装置
１０２  印刷装置
１０３  ビデオコントローラ
１０４  パネル部
１０５  プリンタエンジン
１５０  エンジン制御部
１５１  用紙サイズ検出部
１５２  給紙口検出部
１５３  オプション調査部
１５４  搬送制御部
１５５  光学系制御部
１５６  定着器温度制御部
１５７  オプション制御部
１５８  センサ部
２０１  プリンタ筐体
２０２  操作パネル
２０３  ボード収納部
２０４  印刷部
２０５  感光ドラム
２０６  レーザスキャナ部
２０７  レーザユニット
２０８  ポリゴンミラー（回転多面鏡）
２２０  用紙カセット
２２１  カセットクラッチ
２２２  給紙ローラ
２２３  用紙検知センサ
２２４  レジストシャッタ
２２５  吸着ローラ
２３０  手差しトレイ
２３１  手差し給紙クラッチ
３２２  手差し給紙ローラ
２５０  用紙搬送ベルト
２５１〜２５４  回転ローラ
２６０  定着器
２６１  搬送ローラ
２６２  排紙センサ
２６３  排紙ローラ兼両面印刷用搬送路切替えローラ
２６４  排紙トレイ
２６５  排紙積載量検知センサ
２７０  両面印刷用搬送路
２７１  両面搬送ローラ
２７２  両面搬送ローラ
２７３  両面搬送ローラ
２７４  両面搬送ローラ
３０１  パネルＩ／Ｆ部
３０２  ホストＩ／Ｆ部
３０３  画像データ発生部
３０４  ＲＯＭ
３０５  画像メモリ
３０６  エンジンＩ／Ｆ部
３０７  ＲＡＭ
３０８  ＤＭＡ制御部
３０９  ＣＰＵ
３１０  ＥＥＰＲＯＭ
３２０  ＣＰＵバス
【図１】
2006130821.tif 000003
【図２】
2006130821.tif 000004
【図３】
2006130821.tif 000005
【図４】
2006130821.tif 000006
【図５】
2006130821.tif 000007
【図６】
2006130821.tif 000008
【図７】
2006130821.tif 000009
【図８】
2006130821.tif 000010
【図９】
2006130821.tif 000011